(57)【特許請求の範囲】
【請求項１】
第１嫌気処理部および該第１嫌気処理部からの排水につき再度の固液分離および嫌気処理を行う第２嫌気処理部および消毒室を備えた単独処理浄化槽と、生物濾過槽を備えた合併処理化装置と、を備え、
前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、
前記合併処理化装置の生物濾過槽から洗浄排水を引き抜いて前記第１嫌気処理部に返送するための洗浄排水移送管を設け、
浴槽排水配管を前記合併処理化装置の流入口の直前に接続し、または前記単独処理浄化槽の消毒室に接続し、
前記浴槽排水配管の途中に流量調整弁を設けたことを特徴とする合併処理浄化槽。
【請求項２】
請求項１において、前記第２嫌気処理部は、既設単独処理浄化槽の接触曝気室に設置されていた接触材を不規則充填の嫌気濾材と入れ替えてなることを特徴とする合併処理浄化槽。
【請求項３】
沈殿分離室と接触曝気室と消毒室を備えた既設単独処理浄化槽を、前記沈殿分離室に嫌気濾材を充填して第１嫌気処理部に変更し、前記接触曝気室を前記第１嫌気処理部からの排水につき再度の固液分離および嫌気処理を行う第２嫌気処理部に変更してなる単独処理浄化槽と、生物濾過槽を備えた合併処理化装置と、を備え、
前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、
前記合併処理化装置の生物濾過槽から洗浄排水を引き抜いて前記第１嫌気処理部に返送するための洗浄排水移送管を設け、
浴槽排水配管を前記合併処理化装置の流入口の直前に接続し、または前記単独処理浄化槽の消毒室に接続し、
前記浴槽排水配管の途中に流量調整弁を設けたことを特徴とする合併処理浄化槽。
【請求項４】
沈殿分離室と接触曝気室と沈殿室と消毒室を備えた既設単独処理浄化槽を、前記沈殿分離室に嫌気濾材を充填して第１嫌気処理部に変更し、前記接触曝気室を空気供給停止にして前記第１嫌気処理部からの排水につき再度の固液分離および嫌気処理を行う第２嫌気処理部に変更してなる単独処理浄化槽と、生物濾過槽を備えた合併処理化装置と、を備え、
前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、
前記合併処理化装置の生物濾過槽から洗浄排水を引き抜いて前記第１嫌気処理部に返送するための洗浄排水移送管を設け、
浴槽排水配管を前記合併処理化装置の流入口の直前に接続し、または前記単独処理浄化槽の消毒室に接続し、
前記浴槽排水配管の途中に流量調整弁を設けたことを特徴とする合併処理浄化槽。
【請求項５】
請求項１〜４の１項において、前記生物濾過槽は、底部に散気管を配置した生物反応部と濾過部とを備え、
前記洗浄排水移送管は、前記濾過部の通過水を前記第１嫌気処理部へ返送することを特徴とする合併処理浄化槽。
【請求項６】
請求項１〜５の１項において、前記合併処理化装置に流量調整槽を設けたことを特徴とする合併処理浄化槽。
【発明の詳細な説明】
【０００１】
【発明の属する技術分野】
本発明は、合併処理浄化槽に関する。
【０００２】
【従来の技術】
屎尿の浄化処理を行う分離接触曝気方式の単独処理浄化槽は、図８に示すように、屎尿は、単独処理浄化槽１の流入口２から沈殿分離室３へ流入させて固液分離および嫌気処理を行って接触曝気室４へ移流する。接触曝気室４内では、移流した処理水を散気管７から散気する空気の泡により撹拌して接触材８に接触させ、栄養基質の酸化除去を徐々に行う。接触材８は、撹拌を継続することにより生物膜が厚く堆積して閉塞するので、定期的に逆洗管９より空気泡を吐出することにより生物膜を剥離する。接触曝気室４を通過した処理水は沈殿室５へ移流し、沈殿室５にて固形分の沈殿分離を行い、上澄み液を消毒室６へ移流させて滅菌処理して流出口１０から系外へ放流する。なお、１１は、消毒剤を収容して消毒室６に設置した消毒剤容器である。
【０００３】
【発明が解決しようとする課題】
しかしながら、単独処理浄化槽は、処理すべき汚水の種類が屎尿に限定され、台所排水，洗濯排水，洗面排水および浴槽排水等の生活雑排水を処理することができない。このような問題は、既設の単独処理浄化槽を撤去して新たに合併処理浄化槽を設置することで解決することができるが、施工費用が高額となるばかりでなく、多くの単独処理浄化槽がＦＲＰ製であることから、不要となった単独処理浄化槽の処分に関しても新たな問題が発生する。また、単独処理浄化槽を掘り起こすことなく埋め殺す場合には、処分に関する問題が発生しないものの、土地の有効活用ができないという別の問題を発生させる。
【０００４】
本発明は、このような課題に鑑みてなされたものであり、既設の単独処理浄化槽を有効利用することで、合併処理浄化槽を構成するときに単独処理浄化槽の処分問題を解決すると共に、新たに合併処理浄化槽を購入するよりも安価に構成することができる合併処理浄化槽を提供することを目的とする。
【０００５】
【課題を解決するための手段】
本発明は、第１嫌気処理部および該第１嫌気処理部からの排水につき再度の固液分離および嫌気処理を行う第２嫌気処理部および消毒室を備えた単独処理浄化槽と、生物濾過槽を備えた合併処理化装置と、を備え、前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、前記合併処理化装置の生物濾過槽から洗浄排水を引き抜いて前記第１嫌気処理部に返送するための洗浄排水移送管を設け、浴槽排水配管を前記合併処理化装置の流入口の直前に接続し、または前記単独処理浄化槽の消毒室に接続し、前記浴槽排水配管の途中に流量調整弁を設けたことを特徴とする。
また、前記第２嫌気処理部は、既設単独処理浄化槽の接触曝気室に設置されていた接触材を不規則充填の嫌気濾材と入れ替えてなることを特徴とする。
本発明は、沈殿分離室と接触曝気室を備えた既設単独処理浄化槽を、前記沈殿分離室に嫌気濾材を充填して第１嫌気処理部に変更し、前記接触曝気室を前記第１嫌気処理部からの排水につき再度の固液分離および嫌気処理を行う第２嫌気処理部に変更してなる単独処理浄化槽と、生物濾過槽を備えた合併処理化装置と、を備え、前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、前記合併処理化装置の生物濾過槽から洗浄排水を引き抜いて前記第１嫌気処理部に返送するための洗浄排水移送管を設け、浴槽排水配管を前記合併処理化装置の流入口の直前に接続し、または前記単独処理浄化槽の消毒室に接続し、前記浴槽排水配管の途中に流量調整弁を設けたことを特徴とする。
本発明は、沈殿分離室と接触曝気室と沈殿室と消毒室を備えた既設単独処理浄化槽を、前記沈殿分離室に嫌気濾材を充填して第１嫌気処理部に変更し、前記接触曝気室を空気供給停止にして前記第１嫌気処理部からの排水につき再度の固液分離および嫌気処理を行う第２嫌気処理部に変更してなる単独処理浄化槽と、生物濾過槽を備えた合併処理化装置と、を備え、前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、前記合併処理化装置の生物濾過槽から洗浄排水を引き抜いて前記第１嫌気処理部に返送するための洗浄排水移送管を設け、浴槽排水配管を前記合併処理化装置の流入口の直前に接続し、または前記単独処理浄化槽の消毒室に接続し、前記浴槽排水配管の途中に流量調整弁を設けたことを特徴とする。
【０００６】
そして、生物濾過槽は、底部に散気管を配置した生物反応部と濾過部とを備え、前記濾過部の通過水を嫌気処理部へ返送する洗浄排水移送管を設けたことを特徴とする。
【０００９】
または、前記合併処理化装置に流量調整槽を設けたことを特徴とする。
【００１０】
【発明の実施の形態】
本発明における単独処理浄化槽は、第１嫌気処理部および第２嫌気処理部および消毒室を備え、既設または既存の単独処理浄化槽における沈殿分離室と空気供給を停止した接触曝気室および消毒室を利用して構成する。具体的には、従来の技術で説明したように、流入口および流出口を備え、内部に上流側から沈殿分離室，接触曝気室，沈殿室，消毒室を備えた単独処理浄化槽を好適に利用することができる。
【００１１】
第１嫌気処理部は、従来の技術で説明した単独処理浄化槽の沈殿分離室のように濾材等が充填されていない場合には、既設の単独処理浄化槽の沈殿分離室に嫌気濾材を充填して構成するすることが好ましい。更に好ましくは、嫌気濾材は不規則充填のものが良い。これは、空気で強制的に攪拌しない嫌気処理法は不規則充填の方が、処理水が拡散し易く室内をより広く有効に使うことができるからである。
【００１２】
次に、第２嫌気処理部は、空気の供給を停止した曝気処理室を使用する。曝気処理室に設置してある散気管は取り外しても良く、また、曝気処理室に好気濾材（接触材）が設置してある場合には取り外しても良いが、好ましくはそのまま嫌気濾材として使用する。更に好ましくは、不規則充填の嫌気濾材と入れ替える。これは、多くの場合、好気濾材は規則充填されており、空気で強制的に攪拌しない嫌気処理法は不規則充填の方が処理水が拡散し易く室内をより広く有効に使うことができるからである。
【００１３】
合併処理化装置は、少なくとも好気処理を行うための生物濾過槽があれば特にそれ以外の制約はなく、生物濾過槽は、底部に散気管を配置した生物反応部および同じく底部に散気管を配置した濾過部を備えたものであることが好ましい。
【００１４】
生物反応部は、その底部に配置した散気管より空気泡を吐出させて好気処理を行う部分であり、担体を用いたものを好適に使用することができる。なお、ここで言う担体とは、微生物を多く保持することを可能にすることから、網様円筒状，骨格様球状，へちま状，小円筒状，波板状，チューブ状，繊維絡み状等の合成樹脂製の成形体、独立気泡体または連通気泡体を有した合成樹脂製の成形体、アンスラサイト（無煙炭），珪砂，セラミック等の無機体を好適に用いることができる。また、前記担体は浮上性と沈降性の何れの性質のものでも用いることができる。
【００１５】
濾過部は、生物反応部を通過した処理水の濾過を行う部分であり、生物反応部と同様に担体を用いたものを好適に使用することができ、用いる担体は、生物反応部と同じものでも異なるものでも良い。この濾過部の底部に配置した散気管は、通常状態では空気泡の吐出を行うことなく、担体が静止状態を保って濾過処理を行い易い環境を維持させるが、継続して濾過処理を行っていると担体に生物膜が厚く堆積するので、定期的に空気泡を吐出させて担体の攪拌を行い、担体から生物膜を剥離するように使用する。剥離した生物膜は、洗浄排水引き抜き管により引き抜いて洗浄排水移送管により単独処理浄化槽の嫌気処理部または沈殿分離室へ移送することが好ましい。
【００１６】
単独処理浄化槽と合併処理化装置との配管接続は、前記単独処理浄化槽の消毒室の直前と前記合併処理化装置の流入口とを接続し、また前記合併処理化装置の流出口と前記単独処理浄化槽の消毒室を接続することにより行う。前記単独処理浄化槽の流入口には、浴槽排水以外の屎尿，台所排水および洗濯排水等を流入させる配管を設ける。これは、浴槽排水が他の生活雑排水と比較して汚れが少なく、量が多いために、単独処理浄化槽および合併処理化装置を通過させることなく、直接系外へ放流しても良いからである。更に好ましくは、浴槽排水用の浴槽排水配管を別に設け、浴槽排水のみは合併処理化装置に直接流入させて処理するか、または単独処理浄化槽の消毒室を通過させて消毒滅菌してから系外へ放流するようにしても良い。
【００１７】
浴槽排水配管には、流量調整弁を設けることが好ましく、この流量調整弁により浴槽排水を合併処理化装置に流入させる際に流入量変動を小さくし生物反応部の好気処理を効率良く行ったり、合併処理化装置の消毒槽を通過させる処理水の流入量変動を小さくし、消毒槽に流入した処理水の消毒滅菌を効率良く行うために使用する。
【００１８】
また、合併処理化装置には、その合併処理化装置と一体化させた流量調整槽まは合併処理化装置と配管接続される別体の流量調整槽を設けることが好ましい。この流量調整槽は、生物処理を行う槽への処理水の流入量変動を小さくし、好気処理を効率良く行うために使用する。
【００１９】
ところで、洗濯排水は浴槽排水よりも汚れの量が多いものの、台所排水に比べて少ない。そこで、洗濯排水も前記浴槽排水用の浴槽排水配管に流入させて浴槽排水と同様に既設の単独処理浄化槽を通さず、合併処理化装置に流入させて処理し、または、消毒滅菌して放流することが好ましい。但し、洗濯排水を浴槽排水配管に流入させる場合には、前記流量調整弁は、洗濯排水が浴槽排水配管に流入する位置より上流側に設置し、洗濯排水が流量調整弁を通過しないようにすることが好ましい。これは、洗濯排水は流量調整の必要があるほどの水量の変動が少なく、素早い排水を行い、洗濯，すすぎ，脱水などの複数工程を有する洗濯の時間を少しでも短くするためである。
【００２０】
第１の実施の形態
図１は、本発明の第１の実施の形態の合併処理浄化槽であり、（ａ）は平面と配管を示す図、（ｂ）は縦断側面と配管を示す図である。
【００２１】
単独処理浄化槽１は、既設のものであり、その内部構造は、上流側から第１流入口２，第１嫌気処理室１２，第２嫌気処理室１３，沈殿室５，消毒室６，第１流出口１０を備え、消毒槽６には消毒剤容器１１を設置している。このこの単独処理浄化槽１は、合併処理可能な合併処理浄化槽の一部に利用するために、既設の単独処理浄化槽における接触曝気室に設けられている散気部材からの空気供給を停止しとて第２嫌気処理室１３に改造したものである。
【００２２】
合併処理化装置２０は、その内部に、生物反応部２１および濾過部２２を備えた生物濾過槽２３を設け、生物反応部２１および濾過部２２の下部には、散気部材２４，２５を設けている。生物反応槽２１の下部に設けた散気部材２４は、好気処理を行うために使用するものであり、常に空気泡を吐出させるが、濾過部２２の下部に設けた散気部材２５は、生物膜の剥離を行うときに使用するもので、１日１回の空気吐出を１〜３０分程度行う。また、濾過部２２の下流側には、処理水貯留部２６を設ける。
【００２３】
単独処理浄化槽１と合併処理化装置２０との配管接続は、単独処理浄化槽１の沈殿室５から移流管２７を経由して合併処理化装置２０の第２流入口２８に流入させるように接続する。また、合併処理化装置２０の第２流出口２９と単独処理浄化槽１の消毒室６を移流管３０により接続する。そして、合併処理化装置２０の濾過部２２の底部に開口する洗浄排水引き抜き管３１は、移送ポンプ３２と洗浄排水移送管３３を介して単独処理浄化槽１の第１嫌気処理室１２に接続する。
【００２４】
ここで、汚水（処理水）の流れについて説明する。家庭から排出される屎尿，台所排水，洗面排水（以下、まとめて排水ａと言う）および洗濯排水は、単独処理浄化槽１の第１流入口２から第１嫌気処理室１２へ流入させて固液分離および嫌気処理を行い、空気供給を停止した第２嫌気処理室１３にて再度の固液分離および嫌気処理を行う。そして、第２嫌気処理室１３を通過した処理水は、沈殿室５内で固形分を沈殿分離した後に移流管２７へ流入する。
【００２５】
移流管２７に流入した処理水は、第２流入口２８から合併処理化装置２０の生物濾過槽２３に流入する。この生物濾過槽２３では、生物反応部２１において散気部材２４から吐出する空気泡によって処理水を好気処理し、その後、濾過部２２において固形物質の除去を行い、処理水貯留部２６へ移流する。処理水貯留部２６に移流した処理水は、第２流出口２９から移流管３０を通して単独処理浄化槽１の消毒室１６へ流入させ、ここで消毒滅菌処理を行った後に第１流出口１０から放流する。
【００２６】
生物濾過槽２３の濾過部２２は、継続して濾過処理を行うと、担体に生物膜が厚く堆積して閉塞するので、定期的に散気部材２５から空気泡を吐出させて担体を攪拌して該担体から生物膜を剥離させる。剥離した生物膜は、移送ポンプ３２を稼働させることで、洗浄排水引き抜き管３１により引き抜き、洗浄排水移送管３３を介して第１嫌気処理室１２へ返送する。
【００２７】
このような合併処理浄化槽によれば、既設の単独処理浄化槽１を有効活用して合併処理浄化槽を構成することができる。
【００２８】
第２の実施の形態
図２は、本発明の第２の実施の形態における合併処理浄化槽の平面および配管を示す図である。この実施の形態は、図１に示した第１の実施の形態における合併処理浄化槽における移流管２７の途中に浴槽排水配管３４を接続した構成である。その他の構成は、第１の実施の形態と同様であるので、同一符号を付して重複する説明を省略する。
【００２９】
この合併処理浄化槽は、排水ａおよび洗濯排水の外に多量の浴槽排水を浄化処理することができるように構成したものである。
【００３０】
浴槽排水は、汚れが比較的少ない多量の排水量となる特徴がある。この多量の浴槽排水を単独処理浄化槽１の嫌気処理室１２，１３に流し込むと排水ａの嫌気処理が不十分になる恐れがある。しかし、この実施の形態においては、汚れが少ない浴槽排水は、単独処理浄化槽１を通過させずに、移流管２７から合併処理化装置２０へ流入させるようにしたので、単独処理浄化槽１における処理を阻害せずに合併処理することができる。
【００３１】
第３の実施の形態
図３は、本発明の第３の実施の形態における合併処理浄化槽の平面および配管を示す図である。この実施の形態は、図２に示した第２の実施の形態の合併処理浄化槽における浴槽排水配管３４の途中に洗濯排水配管３５を接続した構成である。その他の構成は、第２の実施の形態と同様であるので、同一符号を付して重複する説明を省略する。
【００３２】
この合併処理浄化槽によれば、洗濯排水を排水ａとは別の排水配管に流して処理することができる。
【００３３】
第４の実施の形態
図４は、本発明の第４の実施の形態における合併処理浄化槽の平面および配管を示す図である。この実施の形態は、図２に示した第２の実施の形態における合併処理浄化槽における浴槽排水配管３４の途中に流量調整弁３６を接続した構成である。その他の構成は、第２の実施の形態と同様であるので、同一符号を付して重複する説明を省略する。
【００３４】
浴槽排水は、数分間に約２００〜３００リットルの多量の排水を発生させる。そのために、生物濾過槽２３の容量を十分な大きに確保されていない場合には、処理が不十分な処理水をそのまま放流することになりかねない。
【００３５】
そこで、この実施の形態の合併処理浄化槽は、浴槽排水量を生物濾過槽２３の容量に見合った量になるように流量調整弁３６によって制限することにより、生物濾過槽２３において安定した浄化処理を行うことができるようにしている。
【００３６】
第５の実施の形態
図５は、本発明の第５の実施の形態における合併処理浄化槽の平面および配管を示す図である。この実施の形態は、図３に示した第３の実施の形態における合併処理浄化槽における浴槽排水配管３４の途中に流量調整弁３７を接続した構成である。その他の構成は、第３の実施の形態と同様であるので、同一符号を付して重複する説明を省略する。
【００３７】
この実施の形態において、流量調整弁３７は、浴槽排水配管３４における洗濯排水配管３５の接続合流位置よりも上流に設け、洗濯排水が流量調整弁３７により制限されないようにしている。
【００３８】
洗濯排水は、電気洗濯機（図示省略）の機能や排水配管系の関係から制限することなく取り込んで浄化処理することができるようにすることが好ましい。この観点で、この実施の形態の合併処理浄化槽は好適である。
【００３９】
第６の実施の形態
図６は、本発明の第６の実施の形態における合併処理浄化槽の平面および配管を示す図である。この実施の形態は、図２に示した第２の実施の形態または図３に示した第３の実施の形態の合併処理浄化槽における合併処理化装置２０に流量調整槽３８を設け、この流量調整槽３８に貯留した汚水をポンプ３９によって生物濾過槽２３の処理能力に応じた流量で該生物濾過槽２３に移流するようにした構成である。その他の構成は、第２および第３の実施の形態と同様であるので、同一符号を付して重複する説明を省略する。
【００４０】
この合併処理浄化槽によれば、排水ａおよび洗濯排水あるいは浴槽排水を流量を制限することなく安定して浄化処理することができる
第７の実施の形態
図７は、本発明の第７の実施の形態における合併処理浄化槽の平面および配管を示す図である。この実施の形態は、図６に示した第６の実施の形態の合併処理浄化槽の合併処理化装置２０における流量調整槽３８を別体に形成して設置し、移流管２７から移流する処理水を第３流入口４０から流量調整槽３８に流入させて貯留し、処理水をポンプ３８によって移流管４１を介して第２流入口２８から生物濾過槽２３に移流するようにした構成である。その他の構成は、第６の実施の形態と同様であるので、同一符号を付して重複する説明を省略する。
【００４１】
この実施の形態では、流量調整槽３８を地中に埋設し、合併処理化装置２０は地上設置することが可能となり、施工費用を低減することができる。
【００４２】
その他の実施の形態
このような合併処理浄化槽は、浄化槽を新設するときには、新しい単独処理浄化槽を単独で新設し、またはこの新しい既存の単独処理浄化槽と合併処理化装置を組み合わせて使用することにより合併処理浄化槽を構成して新設することができるので、単独処理浄化槽と合併処理浄化槽の生産効率を高めることができる。
【００４３】
【発明の効果】
本発明は、既設または既存の単独処理浄化槽を利用して合併処理可能な合併処理浄化槽を構成するようにしているので、単独処理浄化槽を処分して新たに合併処理浄化槽を設置するよりも、安価に合併処理浄化槽を提供することが可能となり、また、単独処理浄化槽を処分する必要もなくなる。
【００４４】
また、単独処理浄化槽の消毒室を利用することにより、単独処理浄化槽から系外へ放出するときに、既設の配管をそのまま利用することができ、合併化処理装置に消毒槽を設ける必要がなく該合併化処理装置をコンパクトに構成することができる。
【００４５】
更に、単独処理浄化槽の接触曝気室を嫌気処理部に改造することにより、第１嫌気処理部と第２嫌気処理部とを有するようにすることで、第１嫌気処理部にて固液分離、嫌気処理をした上に、第２嫌気処理部にて再度固液分離、嫌気処理ができるので、汚泥貯留能力が向上し、屎尿以外の台所排水、洗濯排水などの流入水が増えても、汚泥引き抜き頻度の増加を軽減することができる。また、単独処理浄化槽に接続した合併処理化装置の生物濾過槽から洗浄排水を引き抜いて第１嫌気処理部に洗浄排水移送管により返送できるようにすることで、生物濾過槽にて剥離して沈殿する生物膜を第１嫌気処理部に戻すことができ、生物濾過槽での閉塞を防止できる。
また、既設単独処理浄化槽の沈殿分離室に設置されていた接触材を不規則充填の嫌気濾材と入れ替えて前記第２嫌気処理部を構成することで、空気で強制的に攪拌しない嫌気処理法において処理水が拡散し易くなり室内をより広く有効に使うことができる。
また、沈殿分離室と接触曝気室と消毒室を備えた既設単独浄化槽を、前記沈殿分離室に嫌気濾材を充填して第１嫌気処理部に変更し、前記接触曝気室を前記第１嫌気処理部からの排水につき再度の固液分離および嫌気処理を行う第２嫌気処理部に変更することができ、既設単独浄化槽を有効に利用して、それに合併処理化装置を接続することで第１嫌気処理部と第２嫌気処理部にて個々に固液分離、嫌気処理ができる合併処理浄化槽を提供できる。
更に、沈殿分離室と接触曝気室と沈殿室と消毒室を備えた既設単独浄化槽を、前記沈殿分離室に嫌気濾材を充填して第１嫌気処理部に変更し、前記接触曝気室を空気供給停止にして前記第１嫌気処理部からの排水につき再度の固液分離および嫌気処理を行う第２嫌気処理部に変更することができ、既設単独浄化槽を有効に利用して、それに合併処理化装置を接続することで第１嫌気処理部と第２嫌気処理部にて個々に固液分離、嫌気処理ができる合併処理浄化槽を提供できる。
【００４６】
また、浴槽排水配管を別配管にすることにより、他の生活雑排水に比較して量が多いために浄化処理を不安定にしていた浴槽排水を、直接または合併処理化装置による処理のみまたは消毒滅菌のみを行って系外に放出するようにすることができ、浄化処理を安定に行なうことができる。
【００４７】
更に、浴槽排水を単独処理浄化槽を通過せず直接合併処理化装置に流入あるいは直接放出あるいは消毒滅菌のみを行って系外に放出するようにすれば、単独処理浄化槽の汚泥の流出を防ぐことができると共に、生物濾過処理を効率的に行うことができるので、生物濾過槽の容量をコンパクトにすることができ、システム全体を小型化することが可能となる。
【００４８】
また、浴槽排水配管に流量調整弁を設けることにより、合併処理化装置の生物濾過槽あるいは消毒槽を大きくする必要がなく、効率良く排水を生物濾過処理あるいは消毒滅菌することができる。
【００４９】
更に、合併処理化装置に流量調整槽を設けた場合には、安定した浄化処理を行うことができ、特に合併処理化装置と流量調整槽とを配管接続する構成にすれば、合併処理化装置を地上設置することで施工費用を低く抑えることが可能となる。
【図面の簡単な説明】
【図１】本発明の第１の実施の形態の合併処理浄化槽であり、（ａ）は平面と配管を示す図、（ｂ）は縦断側面と配管を示す図である。
【図２】本発明の第２の実施の形態における合併処理浄化槽の平面および配管を示す図である。
【図３】本発明の第３の実施の形態における合併処理浄化槽の平面および配管を示す図である。
【図４】本発明の第４の実施の形態における合併処理浄化槽の平面および配管を示す図である。
【図５】本発明の第５の実施の形態における合併処理浄化槽の平面および配管を示す図である。
【図６】本発明の第６の実施の形態における合併処理浄化槽の平面および配管を示す図である。
【図７】本発明の第７の実施の形態における合併処理浄化槽の平面および配管を示す図である。
【図８】分離接触曝気方式の単独処理浄化槽を示す縦断側面図である。
【符号の説明】
１…単独処理浄化槽、２…第１流入口、５…沈殿室、６…消毒室、１０…第１流出口、１１…消毒剤容器、１２…第１嫌気処理室、１３…第２嫌気処理室、２０…合併処理化装置、２１…生物反応部、２２…濾過部、２３…生物濾過槽、２６…沈殿槽、２７，３０…移流管。
【図１】
0004381556.tif 000002
【図２】
0004381556.tif 000003
【図３】
0004381556.tif 000004
【図４】
0004381556.tif 000005
【図５】
0004381556.tif 000006
【図６】
0004381556.tif 000007
【図７】
0004381556.tif 000008
【図８】
0004381556.tif 000009